(57)【要約】【課題】既成の合成樹脂製円筒パイプを組み立てて正面視三角形状に形成した、野菜、果菜類等を栽培する傾斜縦型の水耕栽培装置を提供する。【解決手段】狭い間隔で並列水平に並べられ、内部に培養液パイプ（図示省略）が同心円状に配置された２本の上方水平支持パイプ１と、前記上方水平支持パイプ１より広い間隔で並列水平に配置された２本の下方水平支持パイプ２と、前記上方水平支持パイプ１及び下方水平支持パイプ２に斜めに嵌入され、多数の栽培孔３を備えた傾斜固定パイプ４及び傾斜可動パイプ（図示省略）とを組み立てて正面視三角形状に形成される。【選択図】図１
2014212701.tif 000002
【特許請求の範囲】
【請求項１】
狭い間隔で並列水平に並べられ、内部に培養液パイプが同心円状に配置された２本の上方水平支持パイプと、前記上方水平支持パイプより広い間隔で並列水平に配置された２本の下方水平支持パイプと、前記上方水平支持パイプ及び下方水平支持パイプに斜めに嵌入され、多数の栽培孔を備えた傾斜固定パイプ及び傾斜可動パイプとを組み立てて正面視三角形状に形成されることを特徴とする水耕栽培装置。
【請求項２】
前記培養液パイプは、ユニオン継手により回転させて前記注出口の向きを調節することができることを特徴とする請求項１記載の水耕栽培装置。
【請求項３】
前記上方水平支持パイプ及び前記下方水平支持パイプには、円周面に前記傾斜固定パイプ及び前記傾斜可動パイプが嵌入する支持孔が等間隔に穿孔されていることを特徴とする請求項１記載の水耕栽培装置。
【発明の詳細な説明】
【技術分野】
【０００１】
本発明は、野菜、果菜類等を栽培する合成樹脂製円筒パイプを使用した傾斜縦型の水耕栽培装置に関する。
【背景技術】
【０００２】
従来、断面逆コ字状体の培養液流路上に多数の支持孔を備える植物支持パネルを配設し、該植物支持パネルにはその裏側に根を突出させた状態で植物を前記支持孔に支持させ、前記培養液流路に培養液を流すようにした水耕栽培装置において、前記培養液流路及び植物支持パネルを水平面に対して傾斜角が約４５〜６５°程度にしたものが知られている（特許文献１を参照）。
この公知技術は、前記培養液流路及び植物支持パネルの傾斜角が約４５〜６５°程度と大きいため、立体栽培となり土地面積、空間の有効利用を図ることができ、設備面積を縮小し、照明・空調の設備、エネルギーを軽減、節約することができるなどの特徴があるが、培養液の供給にムラが生じやすいし、且つ簡便に製作ができないなどの欠点があった。
【０００３】
また、立筒の側面に複数の孔を設け、その孔内に草花等の植物を植付け、前記立筒上端より水耕液を適宜量流下させつつ栽培、観賞する立筒式水耕栽培装置において、前記立筒内一杯に網状体及び給水紙を装填したものが知られている（特許文献２を参照）。
この公知技術は、装置自体の製作面で作業性に優れているが、立筒内一杯に網状体や給水紙を装填しなければならず、立筒内への網状体や給水紙の装填作業が厄介であった。
【０００４】
これらの課題を解決するため、立体栽培で、土地面積、空間の有効利用を図ることができ、設備面積を縮小し、照明・空調の設備、エネルギーを軽減、節約することができ、且つ装置自体の製作面で作業性に優れている水耕栽培装置が望まれていた。
【先行技術文献】
【特許文献】
【０００５】
【特許文献１】実開平２−１３７８５６号公報
【特許文献２】実開昭６２−１５６４号公報
【発明の概要】
【発明が解決しようとする課題】
【０００６】
本発明は、既成の合成樹脂製円筒パイプを組み立てて正面視三角形状に形成した、野菜、果菜類等を栽培する傾斜縦型の水耕栽培装置を提供することを目的とする。
【課題を解決するための手段】
【０００７】
本発明の水耕栽培装置は、狭い間隔で並列水平に並べられ、内部に培養液パイプが同心円状に配置された２本の上方水平支持パイプと、前記上方水平支持パイプより広い間隔で並列水平に配置された２本の下方水平支持パイプと、前記上方水平支持パイプ及び下方水平支持パイプに斜めに嵌入され、多数の栽培孔を備えた傾斜固定パイプ及び傾斜可動パイプとを組み立てて正面視三角形状に形成されるものである。
【発明の効果】
【０００８】
本発明の水耕栽培装置は、狭い間隔で並列水平に並べられ、内部に培養液パイプが同心円状に配置された２本の上方水平支持パイプと、前記上方水平支持パイプより広い間隔で並列水平に配置された２本の下方水平支持パイプと、前記上方水平支持パイプ及び下方水平支持パイプに斜めに嵌入され、多数の栽培孔を備えた傾斜固定パイプ及び傾斜可動パイプとを組み立てて正面視三角形状に形成されるものであり、既成の合成樹脂製円筒パイプを組み立てるため、立体栽培で、土地面積、空間の有効利用を図ることができ、設備面積を縮小し、照明・空調の設備、エネルギーを軽減、節約することができ、且つ装置自体の製作面で作業性に優れている効果がある。
【図面の簡単な説明】
【０００９】
【図１】本発明の水耕栽培装置の正面図である。
【図２】本発明の水耕栽培装置の側面図である。
【図３】本発明の水耕栽培装置の組立て後の側面図である。
【発明を実施するための形態】
【００１０】
本発明の水耕栽培装置の一実施例を添付図面に基づいて、以下に説明する。
図１の正面図に示すように、本発明の水耕栽培装置は、狭い間隔で並列水平に並べられ、内部に培養液パイプ（図示省略）が同心円状に配置された２本の上方水平支持パイプ１と、前記上方水平支持パイプ１より広い間隔で並列水平に配置された２本の下方水平支持パイプ２と、前記上方水平支持パイプ１及び下方水平支持パイプ２に斜めに嵌入され、多数の栽培孔３を備えた傾斜固定パイプ４及び傾斜可動パイプ（図示省略）とを組み立てて正面視三角形状に形成される。
【００１１】
図２の側面図に示すように、前記上方水平支持パイプ１の端部に連結されたＴ字パイプ継手５には前記傾斜固定パイプ４がビス（図示省略）により固定されると共に、前記傾斜可動パイプ６は前記上方水平支持パイプ１に等間隔に設けた支持孔７に嵌入される。
培養液パイプ８がＴ字パイプ継手５を通して前記上方水平支持パイプ１の内部に同心円状に配置され、前記培養液パイプ８には多数の注出口９を設けて前記傾斜固定パイプ４及び傾斜可動パイプ６に培養液を流下するようになっている。
前記培養液パイプ８の上流側は、ユニオン継手１０を介して供給パイプ１１に接続され、さらに水栓１２を介して培養液供給配管（図示省略）に接続されて培養液が培養液供給設備から送られるようになっている。
【００１２】
他方、前記下方水平支持パイプ２の端部に連結されたＴ字パイプ継手５には前記傾斜固定パイプ４がビス（図示省略）により固定されると共に、前記傾斜可動パイプ６は前記下方水平支持パイプ２に等間隔に設けた支持孔１３に嵌入される。
前記下方水平支持パイプ２の端部に連結されたＴ字パイプ継手５には、排水パイプ１４が接続され、流下した培養液が前記下方水平支持パイプ２から排水パイプ１４、排水管（図示省略）を介して培養液供給設備へ戻されるようになっている。
したがって、本発明の水耕栽培装置の培養液は、培養液供給設備から上方水平支持パイプ１→傾斜固定パイプ４及び傾斜可動パイプ６→下方水平支持パイプ２→培養液供給設備へと循環されるようになっている。
【００１３】
前記上方水平支持パイプ１は、塩ビなどの直管の合成樹脂製パイプから成り、円周面に前記傾斜可動パイプ６が嵌入する支持孔７が等間隔に穿孔され、前記支持孔７に前記傾斜可動パイプ６の先端が嵌入される。
前記上方水平支持パイプ１の端部にＴ字パイプ継手５がビス（図示省略）により固定され、前記Ｔ字パイプ継手５の一方はキャップ１５を施し、他方は前記傾斜固定パイプ４がビス（図示省略）により固定される
【００１４】
前記下方水平支持パイプ２は、塩ビなどの直管の合成樹脂製パイプから成り、円周面に前記傾斜可動パイプ６が嵌入する支持孔１３が等間隔に穿孔され、前記支持孔１３に前記傾斜可動パイプ６の下端が嵌入される。
前記下方水平支持パイプ２の端部にＴ字パイプ継手５がビス（図示省略）により固定され、前記Ｔ字パイプ継手５の一方は排水パイプ１４が接続され、他方は前記傾斜固定パイプ４がビス（図示省略）により固定される
【００１５】
前記傾斜固定パイプ４及び前記傾斜可動パイプ６は、塩ビなどの直管の合成樹脂製パイプから成り、円周面に栽培筒１６が嵌入する栽培孔３が等間隔に穿孔され、前記栽培孔３に前記栽培筒１６が嵌入される。なお、番号１７は、排水パイプ１４の設けた掃除用蓋である。
【００１６】
次に、本発明の水耕栽培装置の操作動作を添付図面に基づいて、以下に説明する。
図２に示すように、上方水平支持パイプ１の両端にＴ字パイプ継手５をビス（図示省略）により固定し、同様に下方水平支持パイプ２の両端にＴ字パイプ継手５をビス（図示省略）により固定する。
そして、前記上方水平支持パイプ１のＴ字パイプ継手５と前記下方水平支持パイプ２のＴ字パイプ継手５同士に傾斜固定パイプ４を嵌合してビス（図示省略）により固定する。つぎに、前記上方水平支持パイプ１と前記下方水平支持パイプ２とを連結するように、傾斜可動パイプ６が支持孔７と支持孔１３に嵌入される。このようにして、図２に示すようなパイプユニットが形成される。
このようなパイプユニットが図１に示すように組み立てられて正面視三角形状に形成される。
最終的には、図３の組立て後の側面図に示すように、前記正面視三角形状に形成されたパイプユニットを横方向に連結して本発明の水耕栽培装置が組み立てられる。
【００１７】
培養液供給設備から供給された培養液は、培養液供給配管（図示省略）から水栓１２を介して供給パイプ１１に送られ、夫々の上方水平支持パイプ１に分岐して培養液パイプ８の注出口９から傾斜固定パイプ４及び傾斜可動パイプ６に流下する。その際、ユニオン継手１０により培養液パイプ８を回転させて前記注出口９の向きを調節することができる。
前記傾斜固定パイプ４及び前記傾斜可動パイプ６には、多数の栽培孔３が穿孔されており、前記栽培孔３にはスポンジ等に支持された野菜苗が保持された栽培筒１６が嵌合されて、培養液により野菜等の成長を促進させることができる。
【００１８】
流下した培養液は、前記下方水平支持パイプ２から排水パイプ１４、排水管（図示省略）を介して培養液供給設備へ戻されるようになっている。なお、番号１８は、コンクリートブロックなどの支持土台である．
このようにして、本発明の水耕栽培装置の培養液は、培養液供給設備から上方水平支持パイプ１→傾斜固定パイプ４及び傾斜可動パイプ６→下方水平支持パイプ２→培養液供給設備へと循環されるようになっている。
【符号の説明】
【００１９】
１  上方水平支持パイプ
２  下方水平支持パイプ
３  栽培孔
４  傾斜固定パイプ
５  Ｔ字パイプ継手
６  傾斜可動パイプ
７  支持孔
８  培養液パイプ
９  注出口
１０  ユニオン継手
１１  供給パイプ
１２  水栓
１３  支持孔
１４  排水パイプ
１５  キャップ
１６  栽培筒
１７  掃除用蓋
１８  支持土台
【図１】
2014212701.tif 000003
【図２】
2014212701.tif 000004
【図３】
2014212701.tif 000005